(57)【要約】【課題】トノカバーがケースに収容されている状態でボード材をほぼ水平に保持することができ、かつ低コストなトノカバー装置を提供する。【解決手段】トノカバー装置は、トノカバー１０と、トノカバーの一端が取り付けられた巻き取り軸４０を含み、トノカバーを巻き取り軸４０上に巻き取る巻き取り装置と、巻き取り軸４０上に巻き取られたトノカバー１０を収容し、トノカバー１０を引き出すための開口３１が形成されたケースと、トノカバー１０の、巻き取り軸４０に取り付けられたのとは反対側の端部に取り付けられたボード材２０とを有している。ケース３０は、トノカバー１０が巻き取られた状態で、ボード材２０を下方から支持してボード材２０を水平に保つ保持形状部５０を有している。【選択図】図３
2008265460.tif 000002
【特許請求の範囲】
【請求項１】
トノカバーと、
前記トノカバーの一端が取り付けられた巻き取り軸を含み、前記トノカバーを前記巻き取り軸上に巻き取る巻き取り装置と、
前記巻き取り軸上に巻き取られた前記トノカバーを収容し、前記トノカバーを引き出すための開口が形成されたケースと、
前記トノカバーの、前記巻き取り軸に取り付けられたのとは反対側の端部に取り付けられたボード材と、
を有し、
前記ケースは、前記トノカバーが巻き取られた状態で、前記ボード材を下方から支持して該ボード材を水平に保つ保持形状部を有している、
トノカバー装置。
【請求項２】
前記保持形状部は、前記ケースの前記開口部の下縁から、前記トノカバーの引き出し方向に水平に延びる保持面を有している、請求項１に記載のトノカバー装置。
【請求項３】
前記保持形状部は、前記ケースの底部側から、前記引き出し方向に向かって斜め上方に延びる傾斜壁と、該傾斜壁の上端から、前記引き出し方向と逆方向に延びる水平壁とを有し、前記水平壁の上面が前記保持面となっている、請求項２に記載のトノカバー装置。
【請求項４】
前記ケースは押し出し成形によって作製されている、請求項１から３のいずれか１項に記載のトノカバー装置。
【請求項５】
トノカバーと、
前記トノカバーの一端が取り付けられた巻き取り軸を含み、前記トノカバーを前記巻き取り軸上に巻き取る巻き取り装置と、
前記巻き取り軸上に巻き取られた前記トノカバーを収容し、前記トノカバーを引き出すための開口が形成されたケースと、
前記トノカバーの、前記巻き取り軸に取り付けられたのとは反対側の端部に取り付けられたボード材と、
前記トノカバーが巻き取られた状態で、前記ボード材を下方から支持して該ボード材を水平に保つブラケットと、
を有し、
前記ブラケットは、
前記ケースの前記開口の下縁から、前記トノカバーの引き出し方向に水平に延びる上面を有する水平壁と、
上端が前記水平壁の、前記ケース側の端部に結合し、前記上端から前記ケースの外面に沿って下方に延びる垂直壁と、
を有し、
前記垂直壁には、前記ケースに形成された係合穴に係合した係合ツメが形成されている、
トノカバー装置。
【請求項６】
前記垂直壁の、前記ケース側の面の上端と下端に、前記ケースに当接した突出部が形成されており、前記係合ツメは、上端の前記突出部と下端の前記突出部との間の高さの所に配置されている、請求項５に記載のトノカバー装置。
【発明の詳細な説明】
【技術分野】
【０００１】
本発明は、自動車の後方に設けられたラゲージルームの上方を覆うためのトノカバー装置に関する。
【背景技術】
【０００２】
従来より、自動車のリアシート後方にラゲージルームを備えた自動車には、ラゲージルームの上方を必要に応じて覆うトノカバー装置が設けられる場合がある。トノカバー装置は、ラゲージルームに積載された荷物を覆い隠して外部から確認できないようにすると同時に、見栄えの向上を図る働きをする。
【０００３】
一般的に、トノカバー装置は、ラゲージルームを覆うためのトノカバーと、トノカバーを収容するケースとを有している。このケース内には、トノカバーの一端と結合し、トノカバーを巻き取る巻き取り装置が配置されている。トノカバーは、ケースから後方に引き出された状態でラゲージルームを覆うように構成されるのが一般的であり、トノカバーの、引き出す側の端部には、ボード材が取り付けられている。ボード材は、トノカバーの引き出しを容易にするなどの働きをする。さらに、ボード材の左右両端には、車室内の側壁の係止部と係合することでトノカバーを引き出された位置に固定するための一対のフックが取り付けられている。
【０００４】
通常、トノカバーは、容易に巻いてケース内に収容できるように柔軟な素材から作られ、一方、ボード材は、硬質な部材からなり、トノカバーがケース内に収容された状態でも、ケースの外側に位置するようになっている。そのために、ボード材は、ケースの、トノカバーを引き出すための開口部の幅よりも大きい、ほぼ一様な厚みを有するのが一般的である。トノカバーがケースの外側に位置することによって、利用者は、ボード材部分をつかんで、トノカバーを容易に引き出すことができ、
ここで、トノカバーがケースに収容されている状態の時に、ボード材が自重によって垂れ下がった状態となってしまうと、次に使用者がトノカバーをケースから引き出す操作をする際に使い勝手がよくない。また、ボード材が垂れ下がった状態では、荷物によってボード材がリアシート方向に押されてしまい、引き出し操作がさらに困難になってしまうことも考えられる。
【０００５】
そのため、トノカバーがケースに収容されている状態で、ボード材をほぼ水平状態に保つための手段が特許文献１に開示されている。同文献に開示された構成では、ボード材の下面に、所定の形状を有しケースの側面に当接することによってボード材をほぼ水平な状態に保つための部材がネジで取り付けられている。
【０００６】
また、図７に示すように、ボード材１５１を下方から支持するブラケット１５５を、トノカバー１５０を巻き取って収容するケース１５２にネジ１５６によって取り付けた構成も知られている。
【特許文献１】特開２００３−２２０８８８号公報
【発明の開示】
【発明が解決しようとする課題】
【０００７】
しかし、上述の従来技術では、ボード材を水平に保持するために、専用の部材を用いているため、材料費や加工費が嵩む。また、ボード材を水平に保持するための部材をネジによって取り付ける場合には、その分、さらに加工費が嵩む。
【０００８】
そこで、本発明の目的は、トノカバーがケースに収容されている状態でボード材をほぼ水平に保持することができ、かつ低コストなトノカバー装置を提供することにある。
【課題を解決するための手段】
【０００９】
上述の目的を達成するため、本発明の第１の実施態様のトノカバー装置は、トノカバーと、トノカバーの一端が取り付けられた巻き取り軸を含み、トノカバーを巻き取り軸上に巻き取る巻き取り装置と、巻き取り軸上に巻き取られたトノカバーを収容し、トノカバーを引き出すための開口が形成されたケースと、トノカバーの、巻き取り軸に取り付けられたのとは反対側の端部に取り付けられたボード材と、を有し、ケースは、トノカバーが巻き取られた状態で、ボード材を下方から支持してボード材を水平に保つ保持形状部を有していることを特徴とする。この構成によれば、ボード材を水平に保持するのに、専用の部材が不要となる。
【００１０】
保持形状部は、ケースの開口部の下縁から、トノカバーの引き出し方向に水平に延びる保持面を有する構成とすることができる。このような保持面によって、ボード材を水平な状態に有効に保持することができる。
【００１１】
より具体的には、保持形状部は、ケースの底部側から、引き出し方向に向かって斜め上方に延びる傾斜壁と、傾斜壁の上端から、引き出し方向と逆方向に延びる水平壁とを有し、水平壁の上面が保持面となっている構成とすることができる。これによれば、簡素な構成で、ボード材を水平な状態に有効に保持することができる。また、ケースを構成する壁の端面が、ケースの外面に位置することがないので、安全性の面でも好ましい。
【００１２】
上記のような保持形状部は、ケースを押し出し成形することによって、ケースに容易に作り込むことができる。
【００１３】
本発明の第２の実施態様のトノカバー装置は、トノカバーと、トノカバーの一端が取り付けられた巻き取り軸を含み、トノカバーを巻き取り軸上に巻き取る巻き取り装置と、巻き取り軸上に巻き取られたトノカバーを収容し、トノカバーを引き出すための開口が形成されたケースと、トノカバーの、巻き取り軸に取り付けられたのとは反対側の端部に取り付けられたボード材と、トノカバーが巻き取られた状態で、ボード材を下方から支持してボード材を水平に保つブラケットと、を有し、ブラケットは、ケースの開口の下縁から、前記トノカバーの引き出し方向に水平に延びる上面を有する水平壁と、上端が水平壁の、ケース側の端部に結合し、上端からケースの外面に沿って下方に延びる垂直壁と、を有し、垂直壁には、ケースに形成された係合穴に係合した係合ツメが形成されていることを特徴とする。
【００１４】
この構成によれば、トノカバーが巻き取られた時に、ブラケットの水平壁の上面によってボード材が支持されるので、やはり、ボード材を水平に保持することができる。そして、このブラケットは、垂直壁と係合ツメによって、ケースに固定することができるので、従来技術におけるように固定のためにネジを用いる必要がない。
【００１５】
第２の実施態様では、垂直壁の、ケース側の面の上端と下端に、ケースに当接する突出部を形成し、係合ツメを、上端の突出部と下端の突出部との間の高さの所に配置するのが好ましい。それによって、ブラケットを精度よく、がたつかないように取り付けることができる。
【発明の効果】
【００１６】
本発明の第１の実施態様によれば、ボード材を水平に保持するのに、専用の部材が必要ないので、そのような部材を用いている従来技術に比べて、そのような部材の材料費や取り付け加工費を削減でき、低コスト化を図ることができる。
【００１７】
本発明の第２の実施態様によれば、ボード材を水平に保持する働きをするブラケットをケースに取り付けるのにネジを用いる必要がなくなり、その分、コストを軽減することができる。
【発明を実施するための最良の形態】
【００１８】
以下、本発明の好ましい実施形態を図を用いながら説明する。
【００１９】
図１は、本実施形態のトノカバー装置１が取り付けられた車両後方のラゲージルームを示す斜視図であり、トノカバー１０によってラゲージルームの上方を覆った状態を示している。図２は、トノカバー１０が巻き取られた状態のトノカバー装置１の左端付近の拡大図である。図３は、図２のＡ−Ａ線に沿った断面図である。
【００２０】
トノカバー装置１は、トノカバー１０を非使用時に収容するケース３０を有している。ケース３０は、リアシート７０のすぐ後に配置されており、ラゲージルームのほぼ全幅にわたって延びる長尺な形状を有し、長手方向に垂直な断面における形状は、ほぼ四角形となっている。ケース３０の、車両後方に面する側壁３２には、トノカバー１０の出入り口となる開口３１がケース３０の長手方向にスリット状に形成されている。
【００２１】
ケース３０内には、巻き取り軸４０が回転可能に保持され、この巻き取り軸４０に、トノカバー１０の一端が固定されている。詳細には示さないが、巻き取り軸４０は、それを回転付勢する機構と共に巻き取り装置を構成している。この巻き取り装置によって、トノカバー１０は、外力が働かない状態では、常に、巻き取り軸４０に巻き取られて、ケース３０内に収容されるようになっている。
【００２２】
トノカバー１０は、このように容易に巻き取ることができるように柔軟な材料から作るのが好ましい。トノカバー１０の材料としては、例えば、一般的に広く使われている塩化ビニルレザーや軟質ポリ塩化ビニルなどを用いることができる。
【００２３】
トノカバー１０の、巻き取り軸４０に取り付けられたのとは反対側の端部には、ボード材２０が取り付けられている。ボード材２０はトノカバー１０よりも硬質な材料から形成され、トノカバー１０のほぼ全幅にわたって延びており、それによって、トノカバー１０を幅方向に広がった状態に保持している。ボード材２０の材料としては、例えば、硬質な樹脂を用いることができる。
【００２４】
ボード材２０の、巻き取り軸４０の長手方向の両端には、ラゲージルームの左右壁面方向に突出したフック２１が取り付けられている。一方、ラゲージルームの後端付近には、左右壁面に係止部９０が設けられている。トノカバー１０は、それを車両の後方に向かって引き出し、フック２１を係止部９０に引っ掛けることによって、図１に示すように、ラゲージルームの上方を覆った状態に保持される。この際、ラゲージルームの上方を隙間無く覆うことができるように、ボード材２０は、車両の後方縁に沿った形状を有している。
【００２５】
図１の状態から、フック２１と係止部９０の引っ掛かりを解除して固定を解くと、トノカバー１０は、巻き取り装置の作用によって自然と巻き取られてケース３０内に収容される。この際、ボード材２０および／またはフック２１の少なくとも一部は、ケース３０の開口３１の上下方向の幅よりも大きな厚みを有しており、したがって、側壁３２に当接するようになっている。このため、ボード材２０は、図２，３に示すように、ケース３０の外側に留まる。したがって、トノカバー１０が収容された状態から、ボード材２０を把持することによって、容易にトノカバー１０を引き出すことができる。
【００２６】
ボード材２０には、それを把持しやすくするための把持部８０が設けられている。図１に示す例では、ボード材２０の後端中央の上面に枠状の部材を取り付けることよって、把持部８０が形成されている。把持部８０の構成は、これに限られず、凹凸をボード材２０表面に形成したり、ボード材２０に開口を形成したり、ハンドルを取り付けたりした構成であってもよい。
【００２７】
本実施形態では、図２，３に示すように、ケース３０には、保持形状部５０が形成されている。保持形状部５０は、図３に示すように、ケース３０の側壁３２の、開口３１より下方の部分によって形成された傾斜壁５１と水平壁５２から構成されている。傾斜壁５１は、トノカバー１０の引き出し方向に向かって斜め上方に突出するように延びている。水平壁５２は、傾斜壁５１の上端から、トノカバー１０の巻き取り方向に向かって水平に延びている。開口３１は、水平壁５２の、巻き取り方向の端部と、側壁３２の上方部分との間に形成されている。
【００２８】
この構成では、水平壁５２の上面は、ボード材２０および／またはフック２１の下面に接触する保持面５５として機能する。すなわち、保持面５５による支持と、巻き取り装置による付勢力とによって、ボード材２０はほぼ水平な状態に保持される。また、この状態で、ボード材２０に対して下方向へ力が多少加わっても、ボード材２０はほぼ水平な状態を保つ。
【００２９】
このようにボード材２０をほぼ水平な状態に安定して保持できるようにするために、保持面５５の幅を、およそ３ｃｍ程度確保するのが好ましい。この際、図３に示す例では、保持面５５は、フック２１の下面２２に接触するようになっており、この場合、保持面５５の幅を、フック２１の下面２２全体が接する大きさだけ確保するのが好ましい。
【００３０】
このような保持形状部５０を有するケース３０は、特に、押し出し成形によって容易に製造することができる。特に、ケース３０は、アルミから作られ、板厚は１〜２ｍｍ程度、開口３１の上下方向の幅は、１．５ｃｍ程度であるのが好ましい。
【００３１】
以上説明した本実施形態によれば、トノカバー１０がケース３０内に収容された状態で、ケース３０の開口３１の外側に留まるボード材２０は、ケース３０の保持形状部５０によって支持されることにより、水平な状態に保持される。それによって、ボード材２０を把持する操作が容易になる。また、ボード材２０が、ラゲージルームに積載した荷物によって、リアシート方向に押されてしまうという不都合が生じるのも抑制することができる。
【００３２】
さらに、本実施形態では、ボード材２０をこのように水平に保持するのに、専用の部材を用いずに、ケース３０の保持形状部５０を用いている。そのため、従来技術におけるような取り付け工程、取り付け部材が不要であり、また、材料費の上昇もほとんどないので、低コストでトノカバー装置１を製造することができる。
【００３３】
なお、上記の実施形態は本発明を例示するものであり、本発明は、上記の実施形態の詳細に限定されるものではなく、本発明の範囲内で種々の変形例が可能である。図４は、このような種々の変形例を示している。なお、図４において、上記の実施形態と同様の部分には同一の符号を付し、詳細な説明を省略する。
【００３４】
図４（ａ）では、保持形状部５０は、ケース３０の底壁の、トノカバー１０の引き出し方向に間隔を置いた位置から鉛直に互いに平行に延びる２つの鉛直壁１００，１０１を有している。一方の鉛直壁１００の上端は、開口３１の下縁を構成している。
【００３５】
この構成では、フック２１は、鉛直壁１００と１０１によって、ケース３０の長手方向に垂直な断面で見て、トノカバー１０の引き出し方向に離れた２点で支持され、それによって、ボード部材２０は、ほぼ水平に保持される。
【００３６】
また、図４（ａ）に示す例では、フック２１の、トノカバー１０側の縁は、高さ方向に少し小さくなって、ケース３０の開口３１内に入り込むようになっている。そして、開口３１の下縁を形成している鉛直壁１００は、フック２１の、高さ方向に小さくなっている部分の下面を支持するために、他方の鉛直壁１０１よりも高くなっている。この構成によれば、フック２１の、開口３１内に入り込んだ部分が開口３１にフィットすることになるため、ボード材２０が、引き出し方向の端部が下がるように傾斜するのを抑制できるだけでなく、持ち上がるように傾斜するのも抑制することができる。
【００３７】
図４（ｂ）に示す例では、保持形状部５０は、鉛直壁１１０と水平壁１１１と傾斜壁１１２を有する中空の三角柱状の構造を有している。このような構造とすることによって、強度を高め、ボード材２０の保持の安定性を高めることができる。
【００３８】
図４（ｃ）に示す例では、保持形状部５０は、鉛直壁１２０と、水平壁１２１と、半円筒状壁１２２を有している。鉛直壁１２０は、ケース３０の底壁から開口３１の下縁に延びている。水平壁１２１は、鉛直壁１２０の上端からトノカバー１０の引き出し方向に延びている。半円筒状壁１２２は、水平壁１２１の、トノカバー１０の引き出し方向の端部とケース３０の底壁の、トノカバー１０の引き出し方向の端部とをつないでおり、トノカバー１０の引き出し方向に向かって凸になっている。
【００３９】
ラゲージルームの側壁には、フック２１を車両前後へガイドするレールが備えられる場合がある。特に、このようなレールがない場合、ボード材２０は、ラゲージルームの左右壁面の係止部９０から外されてトノカバー１０が巻き取られる際、ケース３０よりも低い位置に変位する場合がある。図４（ｃ）に示す構成では、このような場合でも、トノカバー１０やボード材２０やフック２１が、半円筒状壁１２２の滑らかな曲面に沿って移動するようにでき、それによって、これらの部材が損傷するのを抑制することができる。
【００４０】
図４（ｄ）に示す例では、上下２段のトノカバー１０ａ，１０ｂが設けられている。これらは、例えば、下方のトノカバー１０ａが、通常の目隠し用のカバーであり、上方のトノカバー１０ｂが、犬を載せる際に、犬が乗員室側に移動できないようにするためのドッグネットである。
【００４１】
ケース３０内には、トノカバー１０ａ，１０ｂのそれぞれを巻き取るための２つの巻き取り軸４０ａ，４０ｂが配置されており、ケース３０は、巻き取り軸４０ａ，４０ｂをそれぞれ収容する独立した２つの部屋を形成している。ケース３０の、下方のトノカバー１０ａを引き出すための開口部３１ａは、上方のトノカバー１０ｂを引き出すための開口部３１ｂよりも、トノカバー１０ａ，１０ｂの引き出し方向にずれて位置している。そして、下方の巻き取り軸４０ａを収容する部屋の天井壁に当たり、２つの部屋を仕切る壁ともなっており、水平に延びている中壁１３０の上面によって、上方のトノカバー１０ｂのための開口部３１ｂの下縁が形成されている。その結果、中壁１３０の、開口３１ｂよりトノカバー１０ｂの引き出し方向側の部分が、トノカバー１０ｂに取り付けられたボード材２０ｂをほぼ水平に保持する保持形状部５０ｂとして働く。下方のトノカバー１０ａに取り付けられたボード材２０ａの保持形状部５０ａは、図３に示すのと同様の構成である。
【００４２】
この構成では、上方のボード材２０ｂのための保持形状部５０ｂが、下方の部屋の天井壁と共用されるため、別に水平保持のための構成を設ける必要がなく、コスト面で優れている。
【００４３】
図４（ｅ）に示す例では、図４（ｄ）に示すのと同様に、上下２段のトノカバー１０ａ，１０ｂが設けられている。下方のトノカバー１０ａに取り付けられたボード材２０ａの保持形状部５０は、図３に示すのと同様の構成である。一方、上方のトノカバー１０ｂに取り付けられたボード材２０ｂは、上方の部屋の、開口３１ｂが形成された側壁と、中壁１３０から鉛直上方に延びる鉛直壁１４０との間に挟まれて、ほぼ鉛直な状態で保持されるようになっている。
【００４４】
図４（ｆ）に示す例では、２つのトノカバー１０ｃ，１０ｄが、互いに反対方向に引き出されるようになっている。各トノカバー１０ｃ，１０ｄに取り付けられた各ボード材２０ｃ，２０ｄのための各保持形状部５０ｃ，５０ｄは、図３に示すのと同様の構成である。
【００４５】
図５に、本発明の他の実施形態のトノカバー装置を示す。同図において、図１〜３と同様の部分には同一の符号を付しており、詳細な説明を省略する。図５（ａ）は、巻き取り軸４０に垂直な面に沿った断面図である。なお、図５（ａ）では、分かりやすくするために、フック２１やボード材２０の図示を省略している。図５（ｂ），（ｃ），（ｄ）は、図５（ａ）のブラケット６０を種々の方向から見た図である。
【００４６】
本実施形態では、ブラケット６０が、ケース３０の開口３１の下方に取り付けられている。ブラケット６０は、ケース３０に接するように配置される垂直壁６６と、垂直壁６６の上端から水平に延びる水平壁６５とを有している。また、水平壁６５と垂直壁６６との間の角度を保つために、水平壁６５の下面と垂直壁６６の、ケース３０とは反対側の面とに接続した、断面形状が三角形の補強部６７が設けられている。
【００４７】
垂直壁６６の、ケース３０に面する側には、中央付近に垂直壁６６に対してほぼ垂直に突出した係合ツメ６１が形成され、下端および上端にそれぞれ突出部６２，６３が形成されている。本実施形態では、係合ツメ６１は、上下左右に並んで合計で４つ設けられており、下端の突出部６２と上端の突出部６３は、それぞれ左右に並んで２つずつ設けられている。ブラケット６０は、ケース３０に形成された係合孔３５に係合ツメを係合させることによって取り付けられている。
【００４８】
この際、係合ツメ６１がケース３０の係合孔３５に係合すると共に、突出部６２，６３がケース３０の外面に当接することによって、ブラケット６０は、水平壁６５が水平に延びる姿勢に維持される。また、垂直壁６６の、突出部６２と６３との間の部分の微弱なたわみに伴う弾性力によって、係合ツメ６１に、水平方向に力が作用するようにすることができ、それによって、ブラケット６０をがたつかないように固定することができる。
【００４９】
このようにして、水平壁６５の上面が、ケース３０の開口３１の下縁から、トノカバー１０の引き出し方向に水平に延びる保持面として機能するようになっている。すなわち、トノカバー１０が巻き取られた時に、水平壁６５の上面によってボード材２０が下方から支持され、さらに、ボード材２０に巻き取り装置による力が作用することによって、ボード材２０はほぼ水平な状態に保持される。
【００５０】
本実施形態によれば、ブラケット６０を取り付けるのに、従来技術におけるようなネジなどの追加の部材が不要であり、その分、材料費や加工費を軽減することができる。
【００５１】
なお、本発明は、本実施形態の詳細によって制限されるものではなく、本発明の範囲内で種々の変形が可能である。図６に、１つの変形例を示す。同図において、図５と同様の部分には同一の符号を付しており、詳細な説明を省略する。
【００５２】
図６に示す例では、図５に示す構成における上方の係合ツメ６１および突出部６３の構成を変えている。すなわち、この変形例においては上方の係合ツメ６４を、ケース３０の係合穴３５を通った後、ケース３０の内面に沿って上方に、ケース３０の開口３１の下端まで延びている。また、上方に独立した突出部６３はなく、代わりに、係合ツメ６４の根元部分の肉厚が厚くなっていて、ケース３０の外面に当接している。
【００５３】
この変形例では、上方の係合ツメ６４が上下方向に長い領域でケース３０に当接することによって、ブラケット６０の水平壁６５の先端が下方に傾くのに対する抵抗力が高まる。それによって、ブラケット６０の保持の安定性が高まり、ボード材２０が比較的重い場合でも、ボード材２０を実質的に水平な状態に安定して保持することができる。
【図面の簡単な説明】
【００５４】
【図１】本発明の一実施形態のトノカバー装置を備えた車両のラゲージルームを示す斜視図。
【図２】図１のトノカバー装置の一部を拡大して示す斜視図。
【図３】図２のＡ−Ａ線に沿った断面図。
【図４】図１のトノカバー装置の変形例を示す断面図。
【図５】本発明の他の実施形態のトノカバー装置を示す図。
【図６】図５のトノカバー装置の変形例を示す断面図。
【図７】従来例のトノカバー装置の断面図。
【符号の説明】
【００５５】
１    トノカバー装置
１０    トノカバー
２０    ボード材
２１    フック
２２    下面
３０    ケース
３１    開口
３２    側壁
４０    巻き取り軸
５０    保持形状部
５１    傾斜壁
５２    水平壁
５５    保持面
６０    ブラケット
７０    リアシート
８０    把持部
９０    係止部
【図１】
2008265460.tif 000003
【図２】
2008265460.tif 000004
【図３】
2008265460.tif 000005
【図４】
2008265460.tif 000006
【図５】
2008265460.tif 000007
【図６】
2008265460.tif 000008
【図７】
2008265460.tif 000009